(57)【要約】      （修正有）【課題】生化学測定器の較正タイミングの報知方法と装置を提供する。【解決手段】尿糖センサを緩衝液に浸漬させた状態で尿糖計を保管するスタンドに、表示装置を設けると共に、尿糖計からのデータを受けることできる通信手段とマイクロコンピュータとを内臓させる。一方、尿糖計にも、スタンドのマイクロコンピュータにデータを送ることできる通信手段を追加する。尿糖計をスタンドに保管すると、尿糖計の通信手段とスタンドの通信手段が動作して、尿糖計が保存している尿糖センサの状態情報を、スタンドのマイクロコンピュータに転送する。その後、尿糖計はスリープ状態におかれ、電力消費を最小に維持される。一方、スタンドのマイクロコンピュータは、尿糖計から受けた尿糖センサの状態情報に基づいて、時間経過を独自にカウントして、尿糖計が測定待ち状態、測定可能状態、較正状態との何れの状態にあるかを表示装置で表示する。【選択図】図７
2008241410.tif 000002
【特許請求の範囲】
【請求項１】
生化学センサを用いて液成分を検出する生化学測定器と、前記生化学測定器を保管する生化学測定器スタンドとを具備する生化学測定器セットにおいて、
前記生化学測定器は、生化学センサと、第１の表示装置と、電源と、前記生化学センサ及び前記第１の表示装置及び前記電源とに接続された第１のマイクロコンピュータと、前記第１のマイクロコンピュータに接続された第１の通信手段と、前記生化学測定器スタンドに前記生化学測定器が保管されたことを検出する検出手段とを具備しており、前記第１のマイクロコンピュータは、前記生化学センサによる測定を制御すると共に測定データを処理して前記第１の表示装置に測定結果を表示させ、更に、前記第１のマイクロコンピュータは、前記生化学測定器スタンドに前記生化学測定器が保管されたことを前記検出手段が検出したとき、前記生化学センサの状態に係る情報を前記第１の通信手段を介して出力し、
前記生化学測定器スタンドは、第２の表示装置と、前記第２の表示装置に接続された第２のマイクロコンピュータと、前記第２のマイクロコンピュータに接続され前記第１の通信手段と通信可能な第２の通信手段とを具備しており、前記第２のマイクロコンピュータは、前記生化学測定器が前記生化学測定器スタンドに保管されたときに前記第１の通信手段を介して出力された前記生化学センサの状態に係る前記情報を前記第２の通信手段を介して受けて、前記生化学センサの状態に係る前記情報を前記第２の表示装置に表示させると共に前記生化学センサの状態に係る前記情報の内の時間経過に係る情報を時間経過と共に更新して表示する
ことを特徴とする生化学測定器セット。
【請求項２】
前記第１のマイクロコンピュータは、前記生化学センサの状態に係る情報を前記第１の通信手段を介して出力した後、前記第１の表示装置をオフ状態にすることを特徴とする請求項１に記載の生化学測定器セット。
【請求項３】
前記第１の通信手段は、前記生化学測定器のハウジング表面に配置された第１の複数のコンタクトであり、前記第２の通信手段は、前記生化学測定器が生化学測定器スタンドに保管されたときに前記第１の複数のコンタクトと接触する位置に配置された複数の第２のコンタクトであることを特徴とする請求項１又は２に記載の生化学測定器セット。
【請求項４】
前記第１の通信手段は、前記生化学測定器のハウジング内に配置された無線タグであり、前記第２の通信手段は、前記生化学測定器が前記生化学測定器スタンドに保管されたときに前記無線タグと通信可能な無線タグリーダーライターであることを特徴とする請求項１又は２に記載の生化学測定器セット。
【請求項５】
前記生化学測定器は、グルコースセンサを使用した尿糖計であり、前記生化学センサの状態に係る前記情報は、センサ交換からの測定回数及び経過時間と、直近の較正からの測定回数及び経過時間とを含むことを特徴とする請求項１から４の何れか一項に記載の生化学測定器セット。
【請求項６】
生化学センサを用いて液成分を検出する生化学測定器を保管する生化学測定器スタンドであって、
当該生化学測定器スタンドは、表示装置と、前記表示装置に接続されたマイクロコンピュータと、前記マイクロコンピュータに接続され前記生化学測定器と通信可能な通信手段とを具備しており、前記マイクロコンピュータは、前記生化学測定器が当該生化学測定器スタンドに保管されたときに前記生化学測定器から出力された前記生化学センサの状態に係る情報を前記通信手段を介して受けて、前記生化学センサの状態に係る前記情報を前記表示装置に表示させると共に前記生化学センサの状態に係る前記情報の内の時間経過に係る情報を時間経過と共に更新して表示する
ことを特徴とする生化学測定器スタンド。
【請求項７】
前記通信手段は、前記生化学測定器が当該生化学測定器スタンドに保管されたときに前記生化学測定器の複数のコンタクトと接触する位置に配置された複数のコンタクトであることを特徴とする請求項６に記載の生化学測定器スタンド。
【請求項８】
前記通信手段は、前記生化学測定器が生化学測定器スタンドに保管されたときに前記生化学測定器の無線タグと通信可能な無線タグリーダーライターであることを特徴とする請求項６又は７に記載の生化学測定器スタンド。
【請求項９】
前記生化学測定器は、グルコースセンサを使用した尿糖計であり、前記生化学センサの状態に係る前記情報は、センサ交換からの測定回数及び経過時間と、直近の較正からの測定回数及び経過時間を含んでおり、前記マイクロコンピュータは、センサ交換からの測定回数及び経過時間と、直近の較正からの測定回数及び経過時間に基づいて、前記表示装置に測定可能かどうかを少なくとも表示させることを特徴とする請求項６から８の何れか一項に記載の生化学測定器スタンド。
【請求項１０】
生化学センサを用いて液成分を検出する生化学測定器であって、
当該生化学測定器は、生化学センサと、表示装置と、電源と、前記生化学センサ及び前記表示装置及び前記電源とに接続されたマイクロコンピュータと、前記マイクロコンピュータに接続された通信手段と、前記生化学測定器スタンドに前記生化学測定器が保管されたことを検出する検出手段とを具備しており、前記マイクロコンピュータは、前記生化学センサによる測定を制御すると共に測定データを処理して前記表示装置に測定結果を表示させ、更に、前記マイクロコンピュータは、前記生化学測定器スタンドに前記生化学測定器が保管されたことを前記検出手段が検出したとき、前記生化学センサの状態に係る情報を前記通信手段を介して出力する
ことを特徴とする生化学測定器。
【請求項１１】
前記マイクロコンピュータは、前記生化学センサの状態に係る情報を前記通信手段を介して出力した後、前記表示装置をオフ状態にすることを特徴とする請求項１０に記載の生化学測定器。
【請求項１２】
前記通信手段は、前記生化学測定器のハウジング表面に配置された複数のコンタクトであり、前記生化学測定器が生化学測定器スタンドに保管されたときに前記スタンドに配置された複数のコンタクトと接触するようになされていることを特徴とする請求項１０又は１１に記載の生化学測定器。
【請求項１３】
前記通信手段は、前記生化学測定器のハウジング内に配置された無線タグであり、当該無線タグは、前記生化学測定器が前記生化学測定器スタンドに保管されたときに前記生化学測定器スタンドの無線タグリーダーライターと通信可能であることを特徴とする請求項１０又は１１に記載の生化学測定器。
【請求項１４】
前記生化学測定器は、グルコースセンサを使用した尿糖計であり、前記生化学センサの状態に係る前記情報は、センサ交換からの測定回数及び経過時間と、直近の較正からの測定回数及び経過時間を含むことを特徴とする請求項１０から１３の何れか一項に記載の生化学測定器。
【発明の詳細な説明】
【技術分野】
【０００１】
本発明は、生化学センサを用いて液成分を検出する生化学測定器の状態を表示できる生化学測定器スタンドに関する。
【背景技術】
【０００２】
糖尿病に代表されるように、糖に対する身体代謝機能が低下すると、血液中や尿中における糖濃度が高くなる。従来、糖尿病治療やその予防のために、被測定者から摂取した血液からその採取時における血液中の糖濃度（血糖値）を測定する血糖計（例えば、下記の特許文献５、特許文献６、特許文献７）、又は、被測定者から排泄された尿からその排泄時における尿中の糖濃度（尿糖値）を測定する尿糖計（例えば、下記の特許文献１、特許文献２、特許文献３、特許文献４、特許文献８）を用いて、食後一定時間経過後に血糖値又は尿糖値を測定し、この測定時における血糖値又は尿糖値の大きさから糖に対する身体代謝機能の可否を確認することが行われている。ここで、食後一定時間経過後に測定するのは、おおよそ食後一定時間経過後に血糖値又は尿糖値がピーク値となり、このピーク値に基づいて糖に対する身体代謝機能を評価するためである。
【特許文献１】特開平９−２９７１２０号公報
【特許文献２】特開平９−２９７１３４号公報
【特許文献３】特開平１０−１７０５１３号公報
【特許文献４】特開２００２−２１４１８６号公報
【特許文献５】特開２００３−３０２４０６号公報
【特許文献６】特開２００３−３３４１８０号公報
【特許文献７】特開２００４−２３３２９４号公報
【特許文献８】特開２００６−１５３８４９号公報
【０００３】
糖濃度測定のそれぞれの原理や構成は、上記の特許文献に詳述されているので、上記の特許文献をここに引用して、詳細な説明を省略する。生化学測定器の一例として、例えば酵素の働きを利用して尿成分（尿糖等）を検出する特許文献８に開示されている尿糖計を以下簡単に説明する。図１及び図２は外観図であり、図３は、電気的な構成を示すブロック図であり、図４は表示部の表示形態を示す部分拡大図である。
【０００４】
図示の尿糖計１は、図１に示すように、尿中糖分を電気化学的に検出するセンサカートリッジ１１と、センサカートリッジ１１による検出に基づいて尿中糖分濃度の測定・表示を行いかつ測定の際に尿糖計を保持する部分となる尿糖計本体２１とによって構成される。センサカートリッジ１１が交換できるように、センサカートリッジ１１と尿糖計本体２１とは図１に示すように互いに分離可能であり且つ図２に示すように互いに結合可能である。なお、図示の尿糖計１は、使用しない時には、図２に示すように、磁石４２を有するスタンド４１に挿入設置することにより保管できるようになされている。更に、図２に点線で示すように、キャップ４３が被せられるようにすることもできる。
【０００５】
図３のブロック図に示すように、センサカートリッジ１１は、尿糖センサ１３、サーミスタ１４、スタンド検出リードスイッチ１５、コネクタ１６及びコネクタ接続検出回路１７を、図１に示すハウジング１２内に収容している。また、尿糖計本体２１は、電源２３、操作ボタン２４（２４ａ、２４ｂ）、Ｄ／Ａ変換装置２５、センサ駆動回路２６、Ａ／Ｄ変換装置２７、ブザー２８、ＬＣＤ表示装置２９、外部入出力インターフェース端子３０、コネクタ３１及びマイクロコンピュータ３２を、図１に示すハウジング２２内に収容している。
尿糖センサ１３は寿命があり、使用限度に達するとＬＣＤ表示装置２９にセンサ交換の旨の表示がなされる。その場合、使用者はセンサカートリッジ１１を尿糖計本体２１から取り外し、新しいセンサカートリッジ１１を尿糖計本体２１に取り付ける。センサカートリッジ１１と尿糖計本体２１は電気的に接続されるので、交換に際してはセンサカートリッジ１１のコネクタ１６を尿糖計本体２１のコネクタ３１に容易に接続できるのが好ましい。又、センサカートリッジ１１には尿や洗浄水が掛けられるので、センサカートリッジ１１と尿糖計本体２１との間は防水性に優れていなければならず、その防水性はセンサカートリッジ１１を何度交換しても常に維持される必要がある。
【０００６】
また、尿糖計本体２１に内蔵された電池の寿命がきた場合、新しい電池と交換する必要があるが、この電池の交換も使用者が容易に行えるように配慮しておくことが望ましい。即ち、電池を尿糖計本体２１から容易に取り出せると共に、新しい電池を尿糖計本体２１に容易に装着できることが好ましい。
【０００７】
尿糖センサ１３は、尿中の夾雑物質の影響を排除して、低中高の広範囲に渡る尿中糖分濃度について検出する。尿糖センサ１３は酵素を尿成分検知用のセンサとして構成したものである。
サーミスタ１４は、測定の際における尿の温度を検出し、尿糖センサ１３の温度特性を補正するためのものである。
【０００８】
スタンド検出リードスイッチ１５は、スタンド４１に尿糖計１を収納したときに、磁石４２による磁場の影響で例えばオフ状態になり、スタンド検出リードスイッチ１５のオフ状態を認識してマイクロコンピュータ３２は、電力消費を極力少なくするようにＬＣＤ表示装置２９はオフ状態にする一方、マイクロコンピュータ３２自体もカウント機能とスタンド検出リードスイッチ１５に対する監視機能とを除いてスリープ状態にする。スタンド４１から尿糖計１を取り出すと、スタンド検出リードスイッチ１５は磁石４２による磁場の影響下から離脱して、オン状態になり、スタンド検出リードスイッチ１５のオン状態を認識してマイクロコンピュータ３２は、尿糖計の全機能を回復させ、モード設定、較正及び尿中糖分濃度の測定等を可能とする。
【０００９】
電源２３は、電池であり、尿糖計１の電気系統各部に電力を供給する。
操作ボタン２４（２４ａ、２４ｂ）は、押されたことを検出し、モードや食事内容を選択して設定登録したり、較正したりするためのものである。
Ｄ／Ａ変換装置２５は、マイクロコンピュータ３２からのデジタル信号（駆動信号）をアナログ信号（駆動信号）に変換して出力する。
センサ駆動回路２６は、Ｄ／Ａ変換装置２５からの駆動信号に基づいて尿糖センサ１３に駆動信号を供給するとともに、尿糖センサ１３にて検出された検出信号を受けてＡ／Ｄ変換装置２７に出力する。
【００１０】
Ａ／Ｄ変換装置２７は、センサ駆動回路２６からのアナログ信号（検出信号）をデジタル信号（検出信号）に変換して出力する。
ブザー２８は、マイクロコンピュータ３２からの信号に基づいて、尿糖測定をする旨を報知するためのブザー音を発生する。
ＬＣＤ表示装置２９は、マイクロコンピュータ３２からの信号に基づいて、較正の状況、測定の状況、センサ交換の告知、電池交換の告知、選択モードの状況、次の測定の予告、尿糖測定結果の告知及び判定結果の告知を表示する。
【００１１】
より具体的に詳述すると、図４に示す表示内容のうち、「基準あわせ」及びその上の「水滴マーク」を較正時に点灯することによって較正の状況を表示する。また、「準備中」、「測定」、「洗浄」又は「終了」のいずれかを測定過程中に点灯することによって測定の状況を表示する。更に、尿糖センサ１３の交換時期に「センサ交換」を点灯することによってセンサカートリッジ１１交換の告知を表示する。更に、交換時期に「電池マーク」を点灯することによって電池交換の告知を表示する。更に、「モード」と、その横の「１」、「２」、「３」及び「４」のうち選択されているものとをイベント時に点灯することによって選択モードの状況を表示する。更に、「次測定予告」及び「時間後」と、これら間の「１」又は「２」のいずれかをイベント時に点灯することによって次の測定の予告を表示する。更に、中央に「１３４７」と例示してある「４桁の数字」にて尿糖変化値、基準尿糖変化値又は通常尿糖変化値を各々の測定後に点灯することによって尿糖測定結果の告知を表示する。更に、３つの「三角マーク」のうちハウジング２２に印刷された判定内容に該当する位置するものを各々の判定後に点灯することによって選択モードの状況を表示する。
【００１２】
外部入出力インターフェース端子３０は、マイクロコンピュータ３２内の外部入出力インターフェース３８をパーソナルコンピュータ等の外部機器と接続するためのものであり、マイクロコンピュータ３２と外部機器との間で各種データ（外部機器からの入力データや尿糖計１からの尿糖測定結果・判定結果等の出力データ）の通信を行うためのものである。
コネクタ１６、３１は、センサカートリッジ１１と尿糖計本体２１との間を電気的に接続する。
コネクタ接続検出回路１７は、コネクタ１６とコネクタ３１とが接続状態となっているかを検出する。
【００１３】
マイクロコンピュータ３２は、各種尿糖値や各種可否判定等を演算し、かつ、各種を制御する演算及び制御装置３３、制御及び演算用プログラム等を記憶するＲＯＭ３４、演算結果・外部より読み込んだプログラム等を一時的に記憶するＲＡＭ３５、各種報知のために計時するクロック３６、選択されたモードや食事内容・演算した各種尿糖値・判定した判定結果等を更新されるまで記憶する補助記憶装置３７、パーソナルコンピュータ等の外部機器と各種データ（外部機器からの入力データや尿糖計１からの尿糖測定結果・判定結果等の出力データ）の通信をする外部入出力インターフェース３８、電気系統各部につながるポート等（不図示）を備えており、食直前尿糖値・食後尿糖値・基準食前尿糖値・基準食後尿糖値・通常食前尿糖値・通常食後尿糖値を測定すべき旨の報知、食前尿糖値・食直前尿糖値・食後尿糖値・基準食前尿糖値・食直前尿糖値・基準食後尿糖値・通常食前尿糖値・通常食直前尿糖値・通常食後尿糖値の測定、尿糖変化値（食後尿糖値と食直前尿糖値との差）・基準尿糖変化値（基準食後尿糖値と基準食直前尿糖値との差）・通常尿糖変化値（通常食後尿糖値と通常食直前尿糖値との差）・食差尿糖変化値（通常尿糖変化値と基準尿糖変化値との差）の演算、尿糖変化値に基づいた身体内の糖量変化の可否について、食差尿糖変化値に基づいた通常の食事内容の可否についての判定、及びこれら演算・判定結果の出力に係わる制御等の処理を行う。
【発明の開示】
【発明が解決しようとする課題】
【００１４】
上記した尿糖計１では、尿糖値を簡便に高精度で測定する方法として、グルコ一ス酸化酵素と過酸化水素電極から構成されるグルコースセンサが用いられる場合がある。一般に、このグルコースセンサを用いた場合、センサの検出部を一定の活性に保つために、非測定時には、緩衝液（保存液）が収められたスタンド４１に、尿糖センサ１３を緩衝液に浸漬させた状態で尿糖計１を保管する。緩衝液から取り出し、尿を直接かけ測定、洗浄、緩衝液に浸漬するといった手順で何回か検体を測定することが可能であるが、出力（ベ一スライン）が安定するまでの待ち時間や一定期間毎の較正が必要とされる（特許文献１、特許文献２）。
【００１５】
更に、特許文献１に開示されているような従来の尿糖計は、基準液などにより較正を行わなければ測定ができない。また、測定器の感度が経過時間や環境によって変化するため一定期間毎や急激な温度変化を感知した際に較正を行うことが必要とされるが、スタンド４１に尿糖計１を収納して保管している状態では、特に次の較正タイミングがあと何時問、何日で来るかがわからない。
【００１６】
上記した手順をフローチャートで示すと図５のようになる。緩衝液が収められたスタンド４１に、尿糖センサ１３を緩衝液に浸漬させた状態で尿糖計１が保管されている状態では、上述したように、ＬＣＤ表示装置２９はオフの状態に維持され、マイクロコンピュータ３２もスリープ状態に維持され、電源２３（電池）の消耗を最小限にするようになされている、
【００１７】
スタンド４１に尿糖計１が保管されているその状態から、尿糖計１をスタンド４１を取り出すと、スタンド検出リードスイッチ１５が「尿糖計１がスタンド４１を取り出された」ことを検出して、スリープ状態の測定器本体２１のマイクロコンピュータ３２が動作して、まず、尿糖センサ１３すなわちセンサカートリッジ１１が使用可能範囲内にあるかどうか（センサカートリッジ１１を交換してからの経過時間が交換時期に達しているかどうか及びセンサカートリッジ１１を交換してからの測定回数が上限回数に到達しているかどうかなど）を判別する。その結果、使用可能範囲外にあった場合には、「センサ交換」の表示をする。その場合、センサカートリッジ１１を交換した後、尿糖計１をスタンド４１に戻す。
【００１８】
一方、使用可能範囲内にあった場合には、尿糖センサ１３を交換してから緩衝液に浸し出力（ベ一スライン）が安定するまでの待ち時問が経過しているか、前回の較正から後の測定回数が所定の制限回数に達しているか又は前回の較正から後の経過時間が所定の制限時間に達しているかなどを判別して、許容範囲を越えている場合には、基準液測定をするように表示する。その場合には、基準液測定をして較正した後、洗浄して、尿糖計１をスタンド４１に戻す。
【００１９】
許容範囲内の場合には、測定可能の表示をする。その場合、尿を尿糖センサ１３に掛ければ、自動的に測定値がＬＣＤ表示装置２９に表示される。
測定後は、尿糖センサ１３を洗浄し、図２に示すように、スタンド４１に戻す。通常、スタンド４１内には尿糖センサ１３の緩衝液が保持されており、尿糖計１をスタンド４１に挿入すれば、尿糖センサ１３が緩衝液に漬かり、尿糖センサ１３（即ち酵素）が安定に維持される。
【００２０】
しかしながら、以上のことは、尿糖計１をスタンド４１から取り出して初めてわかる。その理由は、尿糖計１の尿糖計本体の電源にはボタン電池のような極めて小型の電池が使用されており、電力容量が小さいために、非使用時すなわち尿糖計１をスタンド４１に立てている間は、上述したように、電力消費を極力少なくするようにＬＣＤ表示装置２９はオフの状態に維持される一方、マイクロコンピュータ３２もスリープ状態に維持されているためである。すなわち、尿糖計１をスタンド４１に立てている間は、ＬＣＤ表示装置２９には一切の情報が表示されない。更に、キャップ４３が被せられているときには、キャップ４３が不透明ならば全く見えないし、また、キャップ４３が半透明でも見え難い。また、電力消費を無視してマイクロコンピュータ３２及びＬＣＤ表示装置２９を動作状態に維持したとしても、ＬＣＤ表示装置の大きさの制限により、知りたい情報を全て表示することは困難である。
【００２１】
そのため、ユーザは測定可能であるかを尿糖計本体のＬＣＤ表示装置２９により確認する必要があるが、取り出して測定しようとした時に初めて較正しなくてはならないことに気付くのが現状である。この揚合、較正を行わなくては測定できないため、使用者は測定したいにもかかわらず、すぐには測定できない。
【００２２】
本発明の目的は、上記した問題を解決した、生化学測定器の較正タイミングの報知方法と装置を提供することである。
【課題を解決するための手段】
【００２３】
上記した本発明の目的を達成するために、本発明によるならば、生化学センサを用いて液成分を検出する生化学測定器と、前記生化学測定器を保管する生化学測定器スタンドとを具備する生化学測定器セットであって
前記生化学測定器は、生化学センサと、第１の表示装置と、電源と、前記生化学センサ及び前記第１の表示装置及び前記電源とに接続された第１のマイクロコンピュータと、前記第１のマイクロコンピュータに接続された第１の通信手段と、前記生化学測定器スタンドに前記生化学測定器が保管されたことを検出する検出手段とを具備しており、前記第１のマイクロコンピュータは、前記生化学センサによる測定を制御すると共に測定データを処理して前記第１の表示装置に測定結果を表示させ、更に、前記第１のマイクロコンピュータは、前記生化学測定器スタンドに前記生化学測定器が保管されたことを前記検出手段が検出したとき、前記生化学センサの状態に係る情報を前記第１の通信手段を介して出力し、
前記生化学測定器スタンドは、第２の表示装置と、前記第２の表示装置に接続された第２のマイクロコンピュータと、前記第２のマイクロコンピュータに接続され前記第１の通信手段と通信可能な第２の通信手段とを具備しており、前記第２のマイクロコンピュータは、前記生化学測定器が前記生化学測定器スタンドに保管されたときに前記第１の通信手段を介して出力された前記生化学センサの状態に係る前記情報を前記第２の通信手段を介して受けて、前記生化学センサの状態に係る前記情報を前記第２の表示装置に表示させると共に前記生化学センサの状態に係る前記情報の内の時間経過に係る情報を時間経過と共に更新して表示する
ことを特徴とする生化学測定器セットが提供される。
【００２４】
前記第１のマイクロコンピュータは、前記生化学センサの状態に係る情報を前記第１の通信手段を介して出力した後、前記第１の表示装置をオフ状態にすることもできる。
【００２５】
例えば、前記第１の通信手段は、前記生化学測定器のハウジング表面に配置された第１の複数のコンタクトであり、前記第２の通信手段は、前記生化学測定器が生化学測定器スタンドに保管されたときに前記第１の複数のコンタクトと接触する位置に配置された複数の第２のコンタクトである。
【００２６】
或いは、前記第１の通信手段は、前記生化学測定器のハウジング内に配置された無線タグであり、前記第２の通信手段は、前記生化学測定器が前記生化学測定器スタンドに保管されたときに前記無線タグと通信可能な無線タグリーダーライターである。
【００２７】
本発明の好ましい実施例では、前記生化学測定器は、グルコースセンサを使用した尿糖計であり、前記生化学センサの状態に係る前記情報は、センサ交換からの測定回数及び経過時間と、直近の較正からの測定回数及び経過時間とを含む。
【００２８】
更に、本発明によるならば、生化学センサを用いて液成分を検出する生化学測定器を保管する生化学測定器スタンドであって、
当該生化学測定器スタンドは、表示装置と、前記表示装置に接続されたマイクロコンピュータと、前記マイクロコンピュータに接続され前記生化学測定器と通信可能な通信手段とを具備しており、前記マイクロコンピュータは、前記生化学測定器が当該生化学測定器スタンドに保管されたときに前記生化学測定器から出力された前記生化学センサの状態に係る情報を前記通信手段を介して受けて、前記生化学センサの状態に係る前記情報を前記表示装置に表示させると共に前記生化学センサの状態に係る前記情報の内の時間経過に係る情報を時間経過と共に更新して表示する
ことを特徴とする生化学測定器スタンドが提供される。
【００２９】
例えば、前記通信手段は、前記生化学測定器が当該生化学測定器スタンドに保管されたときに前記生化学測定器の複数のコンタクトと接触する位置に配置された複数のコンタクトである。
【００３０】
或いは、前記通信手段は、前記生化学測定器が生化学測定器スタンドに保管されたときに前記生化学測定器の無線タグと通信可能な無線タグリーダーライターである。
【００３１】
本発明の好ましい実施例では、前記生化学測定器は、グルコースセンサを使用した尿糖計であり、前記生化学センサの状態に係る前記情報は、センサ交換からの測定回数及び経過時間と、直近の較正からの測定回数及び経過時間を含んでおり、前記マイクロコンピュータは、センサ交換からの測定回数及び経過時間と、直近の較正からの測定回数及び経過時間に基づいて、前記表示装置に測定可能かどうかを少なくとも表示させる。
【００３２】
更に又は、本発明によるならば、生化学センサを用いて液成分を検出する生化学測定器であって、
当該生化学測定器は、生化学センサと、表示装置と、電源と、前記生化学センサ及び前記表示装置及び前記電源とに接続されたマイクロコンピュータと、前記マイクロコンピュータに接続された通信手段と、前記生化学測定器スタンドに前記生化学測定器が保管されたことを検出する検出手段とを具備しており、前記マイクロコンピュータは、前記生化学センサによる測定を制御すると共に測定データを処理して前記表示装置に測定結果を表示させ、更に、前記マイクロコンピュータは、前記生化学測定器スタンドに前記生化学測定器が保管されたことを前記検出手段が検出したとき、前記生化学センサの状態に係る情報を前記通信手段を介して出力する
ことを特徴とする生化学測定器が提供される。
【００３３】
前記マイクロコンピュータは、前記生化学センサの状態に係る情報を前記通信手段を介して出力した後、前記表示装置をオフ状態にすることもできる。
【００３４】
例えば、前記通信手段は、前記生化学測定器のハウジング表面に配置された複数のコンタクトであり、前記生化学測定器が生化学測定器スタンドに保管されたときに前記スタンドに配置された複数のコンタクトと接触するようになされている。
【００３５】
或いは、前記通信手段は、前記生化学測定器のハウジング内に配置された無線タグであり、当該無線タグは、前記生化学測定器が前記生化学測定器スタンドに保管されたときに前記生化学測定器スタンドの無線タグリーダーライターと通信可能である。
【００３６】
本発明の好ましい実施例では、前記生化学測定器は、グルコースセンサを使用した尿糖計であり、前記生化学センサの状態に係る前記情報は、センサ交換からの測定回数及び経過時間と、直近の較正からの測定回数及び経過時間を含む。
【００３７】
以上から明らかように、本発明によるならば、尿糖計本体のような生化学測定器本体のＬＣＤ表示装置を複雑化することなく較正タイミングや、状態を知ることができる。
表示方法として例えばＬＥＤの点灯、点滅、色の変化などにより測定待ち状態、測定可能状態、較正状態と場合分けする。また、スタンドには、較正までの回数、測定回数のカウンタやＬＣＤ表示装置を取り付けてもよい。
【発明の効果】
【００３８】
本発明によれば、スタンドに設けられたＬＥＤやカウンターなどにより尿糖計本体のような生化学測定器本体の状態が、尿糖計本体のような生化学測定器本体をスタンドから取り出すことなく表示される。また、スタンドに電源装置を持たせることが出来るので、ＬＥＤやＬＣＤの連続点燈などによる電力消費量に制限が無い。
【００３９】
更に、採取したデークをパーソナルコンピュータに取り込んだり、通信回線で送信したりする構成とした揚合は、採取したデータをより高度な管理に役立てることができる。
スタンドに設けられたＬＥＤやカウンターなどにより、前もって尿糖計本体の状態が把握できるため、取り出し時に使用できないといった状況を回避することができる。
【実施例】
【００４０】
以下、添付図面を参照して本発明の実施例を説明する。
【００４１】
実施例１
図６は、本発明による尿糖計の裏側を示す外観図であり、図７は、尿糖計がスタンドに戻されて更にキャップが被されている状態のスタンドの正面斜視図であり、図８は、電気的な構成を示すブロック図である。なお、尿糖計の表側は、図１と同様である。これら図６から図８において、図１から図５までに示した従来例の構成と同様な部分には同一の参照番号を付して説明を省略する。また、補助記憶装置３７は、不揮発性メモリで構成され、尿糖計に係る後述する様々の状態情報、更には必要に応じて時間情報を記憶する。
【００４２】
図６に示すように、センサカートリッジ１１の円錐台状の基部の斜面には４つのコンタクト５１、５２、５３及び５４が設けらている。そして、図８に示すように、コンタクト５３及び５４は短絡されており、コンタクト５１、５２及び５３は、コネクタ１６Ａ及び３１Ａを介してマイクロコンピュータ３２の外部入出力インターフェイス３８に接続されている。
【００４３】
一方、スタンド４１のハウジング内部には、磁石４２の他に、マイクロコンピュータ５５（入出力インターフェイス５６のみ図示）、電源５７、表示装置駆動回路５８、表示装置５９、電源スイッチ（不図示）が設けられている。更に、スタンド４１には、尿糖計１がスタンド４１に戻された状態においてコンタクト５１、５２、５３及び５４とそれぞれ接触する位置（不図示）にコンタクト６１、６２、６３及び６４が設けられている。なお、尿糖計１は断面が楕円形であり、尿糖計１が挿入されるスタンド側の孔の断面も対応した大きさの楕円形であるので、尿糖計１の表側（ＬＣＤ表示装置の側）をスタンドの正面側（図７に正面側を図示）に合わせて、尿糖計１をスタンドに挿入すれば、コンタクト５１、５２、５３及び５４とコンタクト６１、６２、６３及び６４にそれぞれ確実に接触させることができる。
【００４４】
コンタクト６１及び６２は短絡されており、コンタクト６２、６３及び６４は、マイクロコンピュータ５５の外部入出力インターフェイス５６に接続されている。電源５７は、マイクロコンピュータ５５と表示装置駆動回路５８とに接続されており、表示装置駆動回路５８は、マイクロコンピュータ５５の制御の下で、電源５７からに電気エネルギーによって表示装置５９を駆動する。
表示装置５８は、例えば、図７に示すように、スタンド４１の側面の正面に配置された３つの発光ダイオード５９Ａ、５９Ｂ及び５９Ｃから構成できる。図７の実施例の場合、発光ダイオード５９Ａは、「測定可能」を表示する青色発光ダイオードであり、発光ダイオード５９Ｂは、「較正状態」及び「測定待ち」を表示する黄色発光ダイオードであり、発光ダイオード５９Ｃは、「センサ交換」及び「測定待ち」を表示する赤色発光ダイオードである。
【００４５】
マイクロコンピュータ５５は、マイクロコンピュータ３２と同様な構成であるので、説明を省略すると共に、上記した外部入出力インターフェイス５６のみ図示している。一方、マイクロコンピュータ５５及びマイクロコンピュータ３２は、以下に説明する手順を遂行するようなプログラムが内臓ＲＯＭに書き込まれている点において、従来例とは異なるものである。
【００４６】
以下、その手順を図９及び図９Ａのフローチャートを参照しながら説明する。
スタンド４１の電源スイッチ（不図示）がオンになっている場合、マイクロコンピュータ５５を含むスタンド４１内の電子装置は全て動作状態に維持されている。一方、スタンド４１から取り出されている尿糖計１も、尿糖計１内の電子装置は全て動作状態に維持されている。
【００４７】
ステップＳ１：
（１）そのようなスタンド４１に尿糖計１を収納すると、スタンド検出リードスイッチ１５が磁石４２の磁力で開放する。このあと、キャップ４３をスタンド４１に被せる。しかし、キャップ４３をスタンド４１に被せなくともよい。従来では、スタンド検出リードスイッチ１５が開放した時点において、電力消費を極力少なくするようにＬＣＤ表示装置２９はオフの状態にされる一方、マイクロコンピュータ３２も、スタンド検出リードスイッチ監視機能及びカウント機能を除いてスリープ状態にされていたが、本発明では、スタンド検出リードスイッチ１５が開放した時点において、電力消費を極力少なくするようにＬＣＤ表示装置２９はオフの状態にされる一方、マイクロコンピュータ３２は動作状態に維持され、以下の処理が実行される。
【００４８】
ステップＳ１の詳細を示す図９Ａのフローチャートに示すように、マイクロコンピュータ３２は、スタンド検出リードスイッチ１５の状態を検出して、「尿糖計１がスタンド４１に収納された」かどうか判別する。
【００４９】
（２）マイクロコンピュータ３２が「尿糖計１がスタンド４１に収納された」ことを確認した後、マイクロコンピュータ３２は、コンタクト５１と５２とが短絡しているかどうか検出する。一方、スタンド４１のマイクロコンピュータ５５は、コンタクト６３と６４とが短絡しているかどうか検出する。
【００５０】
スタンド４１に尿糖計１が収納されている状態では、コンタクト５１、５２、５３及び５４がコンタクト６１、６２、６３及び６４にそれぞれ接触する。コンタクト５１と５２とは、コンタクト６１及び６２を介して短絡され、マイクロコンピュータ３２は、コンタクト５１と５２との短絡を、「コンタクト５１、５２、５３及び５４が全てコンタクト６１、６２、６３及び６４にそれぞれ接触しており、従って、スタンド４１側と通信可能である」と認識する。一方、コンタクト６３と６４とは、コンタクト５３及び５４を介して短絡され、マイクロコンピュータ５５は、コンタクト６３と６４との短絡を、「コンタクト６１、６２、６３及び６４が全てコンタクト５１、５２、５３及び５４にそれぞれ接触しており、従って、尿糖計１側と通信可能である」と認識する。
【００５１】
（３）尿糖計１のマイクロコンピュータ３２が、「スタンド４１側と通信可能である」と認識したならば、第１の所定の時間Ｔ１のカウントを開始し、第１の所定の時間Ｔ１のカウントが終了したら、第２の所定の時間Ｔ２のカウントを開始すると共に、「センサカートリッジ１１の交換からの全測定回数及び全経過時間」、「直近の較正からの測定回数及び経過時間」ほかの尿糖センサの状態に係る情報を、コンタクト５２及び５３を介してスタンド４１側に送信する。
【００５２】
上記した第１の所定の時間Ｔ１は、スタンド側のマイクロコンピュータ５５より、尿糖計１のマイクロコンピュータ３２が早く通信可能と判断した場合の、スタンド側のマイクロコンピュータ５５が通信可能と判断する時点までの最大時間差であり、情報が確実に受信されるための第１の保障時間である。また、第２の所定の時間Ｔ２は、送信所要時間に第２の保障時間と尤度時間を加えた時間である。但し、送信所要時間は、一回の情報送信に必要な時間とするだけでなく、同一情報を複数回送信するに必要な時間としてその第２の所定の時間Ｔ２内に同一情報を複数回送信してもよい。また、第２の保障時間は、尿糖計１のマイクロコンピュータ３２より、スタンド側のマイクロコンピュータ５５が早く通信可能と判断した場合の、尿糖計１のマイクロコンピュータ３２が通信可能と判断する時点までの最大時間差である。尤度時間は、様々なずれを許容するための時間である
【００５３】
尿糖計１のマイクロコンピュータ３２は、第２の所定の時間Ｔ２が経過した後、マイクロコンピュータ３２自体をスリープ状態にして、尿糖計１の電源２３の電力消費を極力少なくなるようする。
【００５４】
（４）他方、スタンド４１側のマイクロコンピュータ５５が、「尿糖計１側と通信可能である」と認識したならば、第１及び第２の所定の時間の和「Ｔ１＋Ｔ２」のカウントを開始すると共に、コンタクト５２及び５３にそれぞれ接触しているコンタクト６２及び６３を介して尿糖計１側から送られてくる情報の受信を開始し、受信した情報を記憶装置に格納し、同時に「センサカートリッジ１１の交換からの全経過時間」及び「直近の較正からの経過時間」などの時間のカウントを、尿糖計１とは独立して、実行する。
【００５５】
スタンド４１側のマイクロコンピュータ５５は、「Ｔ１＋Ｔ２」の時間が経過した時点で、尿糖計１側から必要な情報の全てが送られてきたかどうか判定する。尿糖計１側から必要な情報の全てが送られてこない場合には、３つの発光ダイオード５９Ａ、５９Ａ及び５９Ｃ全てを点滅させてユーザの通信不良を警告する。その場合、ユーザは、尿糖計１をスタンド４１から取り出して、再度スタンドに収納することによって、図９Ａのステップの始めから処理を再開させる。その場合、尿糖計１をスタンド４１から取り出すと、スタンド検出リードスイッチ１５が磁石４２の磁力の影響の範囲外に出るので、スタンド検出リードスイッチ１５が開放し、スタンド検出リードスイッチ１５の開放を検出すると、尿糖計１のマイクロコンピュータ３２は、尿糖計１の全機能を回復させる。
尿糖計１側から必要な情報の全てが送られてきた場合には、ステップ２に進む。
【００５６】
なお、図９Ａのフローチャートには示していないが、尿糖計１側から必要な情報の全てが送られてこない場合には、３つの発光ダイオード５９Ａ、５９Ａ及び５９Ｃ全てを点滅させてユーザの通信不良を警告する代わりに、予め決められたパターンの信号列を尿糖計１側に送り返して、情報の再送を要求するようにもできる。その場合、尿糖計１側のマイクロコンピュータ３２は、スリープ状態になるまでの時間経過の計数をリセットして、時間経過の計数をゼロからスタートすると共に、センサの状態に係る上記した情報をスタンド４１側へ再送する。計数をゼロからスタートした後、「Ｔ１＋Ｔ２」の時間が経過したとき、マイクロコンピュータ３２もスリープ状態にされる。
【００５７】
一方、尿糖計１側に対して情報の再送を要求したにも拘わらず、スタンド４１側のマイクロコンピュータ５５が情報を受信することなく、所定の時間Ｘ（Ｔ１＋Ｔ２）（例えばＸは２より大きい整数）が経過した場合に、初めて３つの発光ダイオード５９Ａ、５９Ａ及び５９Ｃ全てを点滅させてユーザの通信不良を警告するようにすることもできる。
【００５８】
ステップＳ２：
スタンド４１側のマイクロコンピュータ５５独自に測定回数・経過時間判定が行われる。
【００５９】
通常、尿糖計１をスタンド４１に戻す場合、尿測定を行い必要な洗浄を行った後であり、センサカートリッジ１１の交換からの全測定回数又は全経過時間、或いは較正からの測定回数又は経過時間が上限に到達した状態であったならば、尿糖計１の表示装置２９に必要な表示がされるので、ユーザは必要な対応をとることができ、更に、必要な対応をとった後、尿糖計１をスタンド４１に戻している筈である。
【００６０】
しかし、本発明では、ユーザが尿糖計１の表示装置２９の警告表示に気付かずに尿糖計１をスタンド４１に戻しても、尿糖計１からスタンド４１側から必要な全情報の転送を受けているので、スタンド４１側で測定回数・経過時間判定が行われる。センサカートリッジ１１の交換からの全測定回数又は全経過時間が上限の範囲（２００回及び６０日）外であればステップＳ３へ、上限の範囲内であればステップＳ５に進む。
【００６１】
ステップＳ３：
センサ交換を指示するために、「センサ交換」及び「測定待ち」を表示する赤色発光ダイオード５９Ｃが点灯される。その後、ステップＳ４へ進む。
【００６２】
ステップＳ４：
センサカートリッジ１１の交換のために、尿糖計１をスタンド４１から取り出される。尿糖計１がスタンド４１から取り出されたことを、コンタクト６３と６４との短絡解除によって、スタンド４１側のマイクロコンピュータ５５は認識し、スタンド４１側のマイクロコンピュータ５５は、記憶してあるセンサ状態情報を一旦消去する。
尿糖計１に新しいセンサカートリッジ１１を装着したあと、ステッブＳ１へ戻る。すなわち、新しいセンサカートリッジ１１に交換した尿糖計１をスタンド４１に戻す。
【００６３】
ステップＳ５：
センサカートリッジ１１の交換からの全測定回数又は全経過時間が上限の範囲内であれば、出力（ベースライン）の安定化のため測定待ちを行う。ステップＳ６へ進む。
【００６４】
ステップＳ６：
測定待ちであることを表示するために、「センサ交換」及び「測定待ち」を表示する赤色発光ダイオード５９Ｃと、「較正状態」及び「測定待ち」を表示する黄色発光ダイオード５９Ｂとの両方が点灯されると共に、測定待ち時間のカウントが実行される。ステップＳ７へ進む。
【００６５】
ステップＳ７：
測定待ち時間が満了すると、ステップＳ８ヘ進む。
【００６６】
ステップＳ８：
測定回数・経過時問判定が再度行われる。測定待ち時間の間に、センサカートリッジ１１の交換からの全測定回数又は全経過時間が上限の範囲外となっていた場合には、ステップＳ３へ進む。
【００６７】
センサカートリッジ１１の交換からの全測定回数及び全経過時間が上限の範囲内であるが、較正からの測定回数又は経過時間が所定の制限範囲（センサカートリッジ１１の交換直後の場合、２４回、較正後は４８回、及び何れの場合も７日）外になっていたならば、ステップＳ９へ進む。
【００６８】
センサカートリッジ１１の交換からの全測定回数及び全経過時間が上限の範囲内であり、且つ較正からの測定回数及び経過時間が所定の範囲内であるならば、ステップＳ１０へ進む。
【００６９】
ステップＳ９：
ユーザに較正作業を促すために、「較正状態」及び「測定待ち」を表示する黄色発光ダイオード５９Ｂが点灯される。ステップＳｌｌへ進む。なお、ユーザが較正作業をせずに放置して、センサカートリッジ１１の交換からの全測定回数又は全経過時間が上限の範囲外になったならば、黄色発光ダイオード５９Ｂが消灯されて、「センサ交換」及び「測定待ち」を表示する赤色発光ダイオード５９Ｃが点灯される。
【００７０】
ステップＳｌＯ：
測定可能をユーザに表示するために、「測定可能」を表示する青色発光ダイオード５９Ａが点灯される。ステップＳｌ２へ進む。なお、ユーザが測定をせずに放置して、センサカートリッジ１１の交換からの全測定回数又は全経過時間が上限の範囲外になったならば、「測定可能」を表示する青色発光ダイオード５９Ａが消灯されて、「センサ交換」及び「測定待ち」を表示する赤色発光ダイオード５９Ｃが点灯される。また、較正からの測定回数又は経過時間が所定の制限範囲外になったならば、「測定可能」を表示する青色発光ダイオード５９Ａが消灯されて、「較正状態」及び「測定待ち」を表示する黄色発光ダイオード５９Ｂが点灯される。
【００７１】
ステップＳ１１：
尿糖計１をスタンド４１から取り出し、ステップＳ１３ヘ進む。
ステップＳ１２：
尿糖計１をスタンド４１から取り出し、ステップＳ１４ヘ進む。
ステップＳ１３：
尿糖計１で基準液測定を行い、ステップＳ１５へ進む。
ステップＳ１４；
尿糖計１で尿測定を行い、ステップＳ１５へ進む。
ステップＳ１５：
尿糖計１の洗浄を行い、ステップＳｌへ戻る。
【００７２】
図１０、図１１、図１２及び図１３は、スタンド４１の表示装置の変形例である。図１０の例では、次のセンサ較正までの残り測定可能回数及び残り測定可能日数と、センサカートリッジ１１の交換までの残り測定可能回数及び残り測定可能日数とをそれぞれ数値として表示している。
【００７３】
図１１の例では、次の交換後のセンサ較正までの残り測定可能回数のみを棒グラフのような形式で表示している。
図１２の例は、図７の例と図１０の例とを組み合わせたものである。
図１３の例は、次のセンサ較正までの残り測定可能日数表示を省略した図１０と図７の例と図１１の例とを組み合わせたものである。
【００７４】
実施例２
図６から図８に示す実施例では、４つのコンタクト５１から５４をセンサカートリッジ１１に設けているが、尿糖計本体２１に設けることも可能である。その場合の電気的な構成を図１４のブロック図に示す。図１４からわかるように、外部入出力インターフェース３８からコンタクト５１から５４までの接続の途中に、センサカートリッジ１１と尿糖計本体２１とを接続するコネクタを介在させる必要がないので、コネクタ１６と３１は従来通りでよい。反面、コンタクト５１から５４を尿糖計本体２１の最下方部の側面に設けた場合には、尿糖計本体２１の最下方部までの収容できるようにスタンド４１を高くすると共に、尿糖計を受け入れる孔の上部も尿糖計本体２１を収容できるよう大きくし、その大きくした孔の内面にコンタクト６１から６４を設ける。
【００７５】
実施例３
図６から図８に示す実施例では、コンタクト５１から５４とコンタクト６１から６４とを介して情報を転送しているが、無線通信による情報転送も可能である。そのような場合の電気的な構成を図１５のブロック図に示す。
【００７６】
図１５の実施例は、読み書き可能なパッシヴ型無線タグの技術を利用したものであり、尿糖計１の尿糖計本体２１内にパッシヴ型無線タグ７０を内蔵しており、スタンド４１内に無線タグのリーダー／ライター８０と尿糖計がスタンドに収納されていることを検出する尿糖計センサ８２とを内蔵している。パッシヴ型無線タグ７０は、非常に小さく、従来の尿糖計１の尿糖計本体２１内に容易に内臓である。尿糖計１がスタンド４１に収容されたときに無線通信するので、必要な交信距離は最大１０ｃｍ程度で十分である。従って、１０ｃｍ程度の交信距離が確保できるならば、パッシヴ型無線タグの通信周波数は、いわゆる電磁誘導方式での１３．５６ＭＨｚから、いわゆる電波方式の２．４５ＧＨｚまでの任意の周波数を小型化の観点から選択することができる。
【００７７】
パッシヴ型無線タグ及びそのためのリーダー／ライターの構成は既に知られているので、詳細な説明は省略する。特に、リーダー／ライターの構成及び機能は、従来例と同一である。一方、パッシヴ型無線タグ７０は、リーダー／ライター８０と無線で情報交換するのみでなく、マイクロコンピュータ３２と有線で情報交換する点で、一般的なパッシヴ型無線タグと異なるものである。その相違する点を中心にして以下説明する。
【００７８】
パッシヴ型無線タグ７０は、一般的なパッシヴ型無線タグと同様に、アンテナ７１と、ＲＦ回路７２と、演算及び制御装置（ＣＰＵ）７３と、不揮発性メモリ７４とを有している。更に、一般的なパッシヴ型無線タグとは異なり、マイクロコンピュータ３２と有線で情報交換するための外部入出力インターフェイス７５を有しており、その外部入出力インターフェイス７５は、マイクロコンピュータ３２の外部入出力インターフェイス３８に接続されている。
【００７９】
以下、図９Ａのフローチャートに示した図６から図８に図示の第１の実施例の動作のステップＳ１に相当する、図１５の実施例の動作を説明する。ステップＳ２からステップＳ１５までは同一である。
【００８０】
（１）スタンド４１の電源スイッチ（不図示）がオンになっている場合、マイクロコンピュータ５５を含むスタンド４１内の電子装置は全て動作状態に維持されている。そのようなスタンド４１に尿糖計１を収納すると、スタンド検出リードスイッチ１５が磁石４２の磁力で動作して、マイクロコンピュータ３２が「尿糖計１がスタンド４１に収納された」ことを認識する。本実施例でも、この時点において、電力消費を極力少なくするようにＬＣＤ表示装置２９はオフの状態にされるが、従来と異なり、マイクロコンピュータ３２はスリープ状態にされない。
一方、スタンド４１の尿糖計センサ８２が尿糖計１を検出すると、検出信号をマイクロコンピュータ５５に送信し、マイクロコンピュータ５５が「尿糖計１がスタンド４１に収納された」ことを認識する。
【００８１】
（２）マイクロコンピュータ５５は、リーダーライター８０を起動して動作状態にし、更に、リーダーライター８０のアンテナ８１から発せられる、無線タグを駆動するエネルギーとしての電波に乗せて送信指示信号を送信させる。リーダーライター８０のアンテナ８１から発せられる電波をアンテナ７１で受けるＲＦ回路７２は、電波を整流して昇圧して得られた駆動電圧を無線タグ７０内の様々な回路に供給すると共に、送信指示信号を分離して演算及び制御装置７３に送信する。送信指示信号を受けた演算及び制御装置７３は、不揮発性メモリ７４を一旦クリアすると共に、入出力インターフェイス７５を介して、マイクロコンピュータ３２に送信指示信号を転送する。
【００８２】
入出力インターフェイス３８を介してその送信指示信号の転送を受けたマイクロコンピュータ３２は、「センサカートリッジ１１の交換からの全測定回数及び全経過時間」、「直近の較正からの測定回数及び経過時間」ほかのセンサ状態情報を、入出力インターフェイス３８を介して無線タグ７０に転送する。
センサ情報を入出力インターフェイス７５を介して受信した無線タグ７０の演算及び制御装置７３は、必要なセンサ情報を全て受信していないときには、再送信要求を入出力インターフェイス７５を介してマイクロコンピュータ３２に送る。再送信要求を受けたマイクロコンピュータ３２は再度センサ情報を無線タグ７０に転送する。
【００８３】
一方、演算及び制御装置７３が、必要なセンサ情報を全て受信していたときには、受信した必要なセンサ情報を不揮発性メモリ７４に一旦保管すると共に、受信確認を入出力インターフェイス７５を介してマイクロコンピュータ３２に送る。受信確認を受けたマイクロコンピュータ３２は、マイクロコンピュータ３２自体もカウント機能とスタンド検出リードスイッチ１５に対する監視機能とを除いてスリープ状態にする。その結果、無線タグが後述する無線通信を実施している間、従来と同様に尿糖計１の電力消費は最小に維持される。演算及び制御装置７３は、受信確認をマイクロコンピュータ３２に送った後、不揮発性メモリ７４を読み出して、ＲＦ回路７２を制御して、アンテナ７１を介してセンサ情報をリーダーライター８０に向けて送信する。
【００８４】
アンテナ８１を介してセンサ情報を受信したリーダーライター８０は、センサ情報をマイクロコンピュータ５５に転送する。マイクロコンピュータ５５は、センサ情報が完全に揃っているかどうか判定し、センサ情報情報が完全に揃っていない場合には、リーダーライター８０を介して再送信要求を無線タグ７０に送る。再送信要求を受けた無線タグ７０の演算及び制御装置７３は、不揮発性メモリ７４を再度読み出して、ＲＦ回路７２を制御して、アンテナ７１を介してセンサ情報をリーダーライター８０に向けて再度送信する。
【００８５】
センサ情報が完全に揃っているとマイクロコンピュータ５５が判定した場合には、マイクロコンピュータ５５は、受信したセンサ情報をマイクロコンピュータ５５内の記憶装置に格納すると共に、リーダーライター８０を不動作状態にして、電波の送信を終了させる。受信したセンサ状態情報をマイクロコンピュータ５５内に記憶装置に格納した後は、上記したステップＳ２に進む。
以上の無線タグ７０とスタンド４１側との通信の間、尿糖計本体２１内の電源２３の電力は一切消費されないので、電源２３の電池の消耗を避けることができる。
【００８６】
そのほかの実施例
また、無線タグは、情報を転送する間だけ、すなわち、リーダーライター８０から電力供給を受けている間だけ、センサ状態情報を保持すればよいので、不揮発性メモリ７４の代わりに揮発性メモリを使用することも可能である。
以上説明した図１５の実施例では、尿糖計側の電力消費を最小にするために、読み書き可能なパッシヴ型無線タグの技術を利用しているが、尿糖計側の電力容量を大きくできるならば、アクティヴ型無線タグの技術を利用することも可能である。
【００８７】
上記した実施例においては、尿糖計をスタンドに戻すと、尿糖計の通信手段とスタンドの通信手段が動作して、尿糖計が保存している尿糖センサの状態情報（「センサカートリッジ１１の交換からの全測定回数及び全経過時間」、「直近の較正からの測定回数及び経過時間」ほかの尿糖センサの状態に係る情報）を、スタンドのマイクロコンピュータに転送する一方、その後、ＬＣＤ表示装置２９はオフ状態にする共に、マイクロコンピュータ３２自体もカウント機能とスタンド検出リードスイッチ１５に対する監視機能とを除いてスリープ状態にして、尿糖計の電力消費を極力少なくするようにしている。しかし、尿糖計をスタンドに戻した後、尿糖計を完全にシャットダウンさせて、尿糖計の電力消費を完全になくすることも可能である。
【００８８】
そのためには、変形例として、電源２３とマイクロコンピュータ３２他との間をオンオフする電源スイッチ（不図示）を尿糖計本体２１に付加することができる。
【００８９】
この変形例においても、尿糖計をスタンドに戻したとき、尿糖計の通信手段とスタンドの通信手段が動作して、尿糖計が保存している尿糖センサの状態情報（「センサカートリッジ１１の交換からの全測定回数及び全経過時間」、「直近の較正からの測定回数及び経過時間」ほかの尿糖センサの状態に係る情報）をスタンドのマイクロコンピュータに転送すると共に、センサカートリッジ１１の交換からの全測定回数及び全経過時間を補助記憶装置３７に書き込む。その転送終了後、尿糖計内のＬＣＤ表示装置２９及びマイクロコンピュータ３２他の電子機器類はスリープ状態におかれる。この状態において、使用者が、付加電源スイッチを意図的にオフしなければ、上述した実施例と同様に、尿糖計はスリープ状態に保持され、電力消費を最小に維持される。
【００９０】
しかし、電源２３とマイクロコンピュータ３２他との間をオンオフする付加電源スイッチを使用者が意図的にオフすれば、尿糖計を完全にシャットダウンさせて、尿糖計の電力消費を完全になくすることができる。一方、スタンドのマイクロコンピュータは、上述したように、尿糖計から受けた尿糖センサの状態情報に基づいて、時間経過を独自にカウントして、尿糖計が測定待ち状態、測定可能状態、較正状態との何れの状態にあるかを表示装置で表示する。
【００９１】
この場合、尿糖計を使用するときには、尿糖計をスタンドから取り出す前に、電源２３とマイクロコンピュータ３２他との間をオンオフする付加電源スイッチをオンする。このとき、本変形例では、電源投入されたとき、開始プログラムを起動する。開始プログラムにおいて、センサカートリッジ１１のチェックだけでなく、センサカートリッジ１１の交換からの経過時間をチェックし、経過時間がゼロでない場合には、マイクロコンピュータ３２は、スタンドに対して、スタンドのマイクロコンピュータを独自にカウントしている時間経過情報の転送を要求する。スタンドのマイクロコンピュータは、その転送要求に応答して、時間経過情報だけでなく、尿糖計が測定待ち状態、測定可能状態、較正状態との何れの状態にあるかを示す状態情報も合わせて、尿糖計のマイクロコンピュータ３２に転送する。転送を受けた尿糖計のマイクロコンピュータ３２は、状態情報を補助記憶装置３７に格納すると共に、補助記憶装置３７に書き込まれている時間経過情報を、転送されてきた時間経過情報に書き換え、その転送された時間経過から時間カウントを続行する。これの後、尿糖計をスタンドから取り出して、尿糖計を使用することができる。
【００９２】
なお、尿糖計をスタンドに戻した後、付加電源スイッチをオフするまでの時間、及び付加電源スイッチをオンした後、尿糖計をスタンドから取り出すまでの時間は、尿糖計とスタンドとの間の通信速度を考慮して予め決めておき、使用者がその時間を見計らって、付加電源スイッチをオフしたり、尿糖計をスタンドから取り出したりすることもできるが、尿糖計をスタンドに戻した後、付加電源スイッチをオフにしてもよい状態になったとき、及び付加電源スイッチをオンした後、尿糖計をスタンドから取り出してもよい状態になったとき、尿糖計側又はスタンド側で指示又は表示するようにすることもできる。
【００９３】
以上の実施例は、グルコースセンサを用いた尿糖計に本発明を適用した実施例であるが、本発明は、グルコースセンサを用いた尿糖計だけでなく、センサ自体に寿命（使用開始からの経過時間の上限及び／又は測定回数の上限）があり及び／又は較正後の経過時間の上限及び／又は測定回数の上限がある生化学センサを使用する生化学測定器に、センサを緩衝液（保存液）に浸漬して保管する必要があるかどうかに関係なく、広く適用できることは当業者には理解されよう。
【００９４】
以上説明した実施例からわかるように、本発明によれば、スタンドに設けられたＬＥＤやカウンタのような表示装置によって、尿糖計の状態が、尿糖計本体をスタンドから取り出すことなく表示される。また、スタンドに電源装置を持たせることが出来るので、ＬＥＤやＬＣＤのような表示装置の連続駆動などによる電力消費量に制限が無い。
【００９５】
スタンドに設けられたＬＥＤやカウンタなどのような表示装置によって、前もって尿糖計の状態が把握できるため、取り出し時に使用できないといった状況を回避することができる。
【００９６】
また、以上説明した実施例では、センサが即座に利用可能であるかどうか判定するための情報のみを、スタンド側に転送するように構成しているが、尿糖計に記憶されている過去の測定データ全てをスタンド側に転送するように構成することもできることは当然である。この場合、採取したデータを、尿糖計ではなく、スタンドを介してパーソナルコンピュータに取り込んだり、通信回線で送信することができ、採取したデータをより高度な管理に役立てることができる。
【図面の簡単な説明】
【００９７】
【図１】従来の尿糖計を分解して示す外観図である。
【図２】従来の尿糖計の保管状態を示す外観図である。
【図３】従来の尿糖計の電子的な構成を示すブロック図である。
【図４】図１における表示部の表示形態を示す図である。
【図５】従来の尿糖計の取扱、操作及び動作についての手順を示すフローチャートである。
【図６】本発明に係わる尿糖計の裏側を示す外観図である。
【図７】本発明に係わる尿糖計を収納するスタンドを示す外観図である。
【図８】本発明に係わる尿糖計とスタンドの電子的な構成例を示すブロック図である。
【図９】本発明に係わる尿糖計とスタンドの取扱、操作及び動作についての手順を示すフローチャートである。
【図９Ａ】本発明に係わる尿糖計をスタンドに収納した直後の動作についての手順を示すサブルーチンフローチャートである。
【図１０】スタンドの表示装置の別の表示例を示す概略図である。
【図１１】スタンドの表示装置の更に別の表示例を示す概略図である。
【図１２】スタンドの表示装置の更に別の表示例を示す概略図である。
【図１３】スタンドの表示装置の更に別の表示例を示す概略図である。
【図１４】本発明に係わる尿糖計とスタンドの別の電子的な構成例を示すブロック図である。
【図１５】本発明に係わる尿糖計とスタンドの更に別の電子的な構成例を示すブロック図である。
【符号の説明】
【００９８】
１  尿糖計
１１  センサカートリッジ
１２、２２  ハウジング
１３  尿糖センサ
１４  サーミスタ
１５  スタンド検出リードスイッチ
１６、３１  コネクタ
１７  コネクタ接続検出回路
２１  本体
２３、５７  電源
２４（２４ａ、２４ｂ）  操作ボタン
２５  Ｄ／Ａ変換装置
２６  センサ駆動回路
２７  Ａ／Ｄ変換装置
２８  ブザー
２９、５９  表示装置
３０  外部入出力インターフェース端子
３２、５５  マイクロコンピュータ
３３  演算及び制御装置
３４  ＲＯＭ
３５  ＲＡＭ
３６  クロック
３７  補助記憶装置
３８、５６、７５  外部入出力インターフェース
４１  スタンド
４２  磁石
４３  キャップ
５１、５２、５３、５４、６１、６２、６３、６４  コンタクト
５９Ａ、５９Ａ，５９Ｃ  発光ダイオード
７０  パッシヴ型無線タグ
７１、８１  アンテナ
７２  ＲＦ回路
７３  演算及び制御装置
７４  不揮発性メモリ
８０  パッシヴ型無線タグリーダーライター
８２  尿糖計センサ
【図１】
2008241410.tif 000003
【図２】
2008241410.tif 000004
【図３】
2008241410.tif 000005
【図４】
2008241410.tif 000006
【図５】
2008241410.tif 000007
【図６】
2008241410.tif 000008
【図７】
2008241410.tif 000009
【図８】
2008241410.tif 000010
【図９】
2008241410.tif 000011
【図９Ａ】
2008241410.tif 000012
【図１０】
2008241410.tif 000013
【図１１】
2008241410.tif 000014
【図１２】
2008241410.tif 000015
【図１３】
2008241410.tif 000016
【図１４】
2008241410.tif 000017
【図１５】
2008241410.tif 000018